(57)【要約】【課題】  計数作業効率を高くできる空薬莢収納トレーかつ収容作業効率を高くできる空薬莢収納トレー収容システムを提供すること。【解決手段】  空薬莢収納トレーは、平面視で、正方形をなしている。上面には、複数のライン状凹部１が平行に形成され、各ライン状凹部１は複数の空薬莢を連続的に収納できる。上面の4つの角部には、凸部２が形成されている。対向する2辺の中央部の開孔部４に2つの取っ手３が形成されている。取っ手３は空薬莢収納トレーの内側外周部に位置している。【選択図】        図１
2015042913.tif 000002
【特許請求の範囲】
【請求項１】
平面視で正方形をなした空薬莢収納トレーであって、
該空薬莢収納トレーの上面に複数の空薬莢を連続して収納するためのライン状凹部を複数本形成し、
前記上面の少なくとも対向する2つの角部もしくは辺部に凸部を形成した空薬莢収納トレー。
【請求項２】
前記各ライン状凹部の長さを前記空薬莢の縦長に合わせて短縮させるために凹部蓋部材により前記各ライン状凹部の一部を塞いだ請求項１に記載の空薬莢収納トレー。
【請求項３】
前記凹部蓋部材を前記ライン状凹部の両側に設けられた凹部蓋部材支持凹部に載置することにより前記各ライン状凹部の一部を塞いだ請求項２に記載の空薬莢収納トレー。
【請求項４】
複数本の前記ライン状凹部は平行に形成された請求項１に記載の空薬莢収納トレー。
【請求項５】
前記空薬莢収納トレーの対向する2辺の中央部の前記空薬莢収納トレーの内側外周部の開孔部に取っ手を設けた請求項１に記載の空薬莢収納トレー。
【請求項６】
請求項１〜５のいずれか1つに記載の複数の空薬莢収納トレーと、
該複数の空薬莢収納トレーを上方から段積するための桝構造の第１のボックスと
を具備する空薬莢収納トレー収容システム。
【請求項７】
さらに、前記第１のボックスを複数個収容するためのパネル構造の第２のボックスを具備する請求項６に記載の空薬莢収納トレー収容システム。    
【発明の詳細な説明】
【技術分野】
【０００１】
本発明は銃の射撃訓練において空薬莢の回収管理に用いられる空薬莢収納トレー及び空薬莢収納トレー収容システムに関する。
【背景技術】
【０００２】
一般に、銃の射撃訓練後には、安全保安上、周囲に散乱した空薬莢を回収し、回収された空薬莢の数と残弾丸数との合計が、射撃訓練前の弾丸数と一致するように、厳重に管理されている。この場合、空薬莢の数は数千個から数万個に及ぶことがあり、計数及び保管上から空薬莢の回収管理が重要となる。
【０００３】
空薬莢の回収管理をするために、従来、空薬莢収納トレー及び空薬莢収納トレー収容システムが提案されている（参照：特許文献１）。この空薬莢収納トレーにおいては、上面に空薬莢を納めるための凹部がマトリクス状に複数個たとえば100個（=5×20）形成されており、上面に導入された空薬莢を揺動させることにより各凹部に1個の空薬莢を収納するようにする。また、空薬莢収納トレー収容システムにおいては、上述の空薬莢収納トレーを複数枚重ねて空薬莢収納トレー収容ボックスに収容するために、各空薬莢収納トレーの外周側に突出した取っ手を設けると共に、空薬莢収納トレー収容ボックスには、空薬莢収納トレー収容用のガイドを設けている。このとき、各空薬莢収納トレーは、平面視で正方形ではない。
【先行技術文献】
【特許文献】
【０００４】
【特許文献１】特開２００８-７５９１７号公報
【発明の概要】
【発明が解決しようとする課題】
【０００５】
しかしながら、上述の従来の空薬莢収納トレーにおいては、1つの凹部に1つの空薬莢を収納するので、空薬莢の収納作業効率が低下するという課題がある。また、空薬莢のサイズが異なる場合、たとえば、空薬莢のサイズが小さくなった場合には、空薬莢を揺動させて空薬莢が凹部に収納されても凹部に空隙が生じて凹部に収納されなかった空薬莢がその空隙に引っかかり、やはり、空薬莢の収納作業効率が低下する。さらに、上述の従来の空薬莢収納トレー収容システムにおいては、空薬莢収納トレーの外側に突出した取っ手を利用して空薬莢収納トレーを空薬莢収納トレー収容ボックスのガイドに滑り込ませるので、空薬莢収納トレーの空薬莢収納トレー収容ボックスへの収容作業効率が低いという課題がある。さらにまた、空薬莢収納トレー収容ボックスには空薬莢収納トレーの収容用ガイドを必要とするので、空薬莢収納トレー収容ボックスの製造コストが高いという課題もある。
【課題を解決するための手段】
【０００６】
上述の課題を解決するために、本発明に係る空薬莢収納トレーは、平面視で正方形をなした空薬莢収納トレーであって、この空薬莢収納トレーの上面に複数の空薬莢を連続して収納するためのライン状凹部を複数本形成し、上面の少なくとも対向する2つの角部もしくは辺部に凸部を形成したものである。これにより、ライン状凹部には複数の空薬莢が容易に連続的に収納される。上面の凸部により複数の空薬莢収納トレーの段積が容易となる。
【０００７】
また、各ライン状凹部の長さを空薬莢の縦長に合わせて短縮させるために凹部蓋部材により各ライン状凹部の一部を塞ぐ。これにより、種々の縦長の空薬莢を収納できる。
【０００８】
さらに、本発明に係る空薬莢収納トレー収容システムは、複数の上述の空薬莢収納トレーと、複数の空薬莢収納トレーを上方から段積するための平面視で正方形の桝構造の第１のボックスとを具備するものである。さらに、第１のボックスを複数個収容するためのパネル構造の第２のボックスを具備する。
【発明の効果】
【０００９】
本発明によれば、空薬莢が連続してライン状凹部に収納されるので、収納作業効率を高めることができる。また、空薬莢収納トレーが正方形のために、段積が容易となり、空薬莢収納トレーの収容作業効率を高めることができる。さらに、第１、第２のボックスの製造コストを低くできる。
【図面の簡単な説明】
【００１０】
【図１】本発明に係る空薬莢収納トレーの実施の形態を示し、（Ａ）は上面斜視図、（Ｂ）は裏面斜視図である。
【図２】図１の空薬莢収納トレーの段積状態を示し、（Ａ）は斜視図、（Ｂ）は（Ａ）の上から見た部分拡大図、（Ｃ）は（Ａ）の下からみた部分拡大図である。
【図３】図１の空薬莢収納トレーの空薬莢収納状態を示す上面斜視図である。
【図４】図３の空薬莢収納トレーに収納された空薬莢を示す斜視図である。
【図５】図１の空薬莢収納トレーの第１の変更例を示す上面斜視図である。
【図６】図５の空薬莢収納トレーに収納された空薬莢を示す斜視図である。
【図７】図１の空薬莢収納トレーの第２の変更例を示す上面斜視図である。
【図８】図７の空薬莢収納トレーに収納された空薬莢を示す斜視図である。
【図９】図１、図５、図７の空薬莢収納トレーを複数個収容する小ボックスを示す写真である。
【図１０】図９の小ボックスを複数個収容する大ボックスを示す写真である。
【図１１】図１０のロック機構を示す写真である。
【発明を実施するための形態】
【００１１】
図１は本発明に係る空薬莢収納トレーの実施の形態を示し、（Ａ）は上面斜視図、（Ｂ）は裏面斜視図である。
図１の（Ａ）、（Ｂ）の空薬莢収納トレーは、平面視で、正方形たとえば480mm×480mmをなしている。また、空薬莢収納トレーは合成樹脂等よりなり、軽量である。
【００１２】
また、図１の（Ａ）に示すように、上面には、複数本のライン状凹部１が平行に形成され、各ライン状凹部１は複数の空薬莢を連続的に収納できる。ライン状凹部１の断面形状は空薬莢の下端径に合わせた形状である。さらに、上面の4つの角部には、凸部２が形成されている。尚、凸部２は上面の4つの辺部に形成してもよい。また、凸部２は4つ形成しているが、少なくとも2つの対向する角部もしくは辺部に形成すればよい。さらに、複数本のライン状凹部１は収納密度から平行がよいが、厳密には平行でなくともよい。たとえば放射状でもよい。
【００１３】
他方、図１の（Ｂ）に示すように、対向する2辺の中央部の開孔部４に2つの取っ手３が形成されている。取っ手３は空薬莢収納トレーの薄い内側外周部に位置している。ここで、ライン状凹部１が形成された空薬莢収納トレーの中央部は厚いが、取っ手３が形成されている内側外周部は薄い。従って、取っ手３の下側に空隙が存在する。図１の（Ａ）、（Ｂ）に示すように、取っ手３が形成されている開孔部４の大きさは人間の手の指部が入る程度である。
【００１４】
また、図１の（Ａ）において、ライン状凹部１の両側に設けられた凹部蓋部材支持凹部６は後述の凹部蓋部材７−１（７−２）を支持するためのものであり、凹部蓋部材支持凹部６の周辺が盛り上がっている。
【００１５】
図１の（Ａ）、（Ｂ）の凸部２及び取っ手３の作用について図２を参照して説明する。尚、図２の（Ａ）は図１の（Ａ）、（Ｂ）の空薬莢収納トレー１１、１２、１３を3枚段積した斜視図、図２の（Ｂ）は図２の（Ａ）の上から見た部分拡大斜視図、図２の（Ｃ）は図２の（Ａ）の下からみた部分拡大斜視図である。
【００１６】
図２の（Ａ）、（Ｂ）、（Ｃ）においては、作業者は空薬莢を収納した各空薬莢収納トレー１１、１２、１３の2つの取っ手３を両手で把持することにより空薬莢収納トレー１１、１２、１３をこの順序で段積してある。この場合、空薬莢収納トレー１２は空薬莢収納トレー１１、１３に対して上から見て90°回転してある。尚、各空薬莢収納トレー１１、１２、１３は上から見て正方形をなしているので、一部を90°回転しても段積状態は上から見て変わらない。
【００１７】
空薬莢収納トレー１１、１２、１３の段積状態では、下側の空薬莢収納トレー１１、１２の凸部２が上側の空薬莢収納トレー１２、１３を支持すると共に、下側の空薬莢収納トレー１１、１２の空薬莢が上側の空薬莢収納トレー１２、１３の裏面に接触しないようにする。
【００１８】
図２の（Ａ）、（Ｂ）、（Ｃ）の空薬莢収納トレー１１、１２、１３の段積状態から空薬莢収納トレー１３のみを移動する際には、作業者は手の指部によって空薬莢収納トレー１３の取っ手３を把持して行う。この場合、空薬莢収納トレー１３の開孔部４が存在するので、空薬莢収納トレー１３の取っ手３を容易に把持できる。
【００１９】
同様に、2つの空薬莢収納トレー１１、１２の段積状態から空薬莢収納トレー１２のみ移動する際には、作業者は手の指部によって空薬莢収納トレー１２の取っ手３を把持して行う。この場合も、空薬莢収納トレー１２の開孔部４が存在するので、空薬莢収納トレー１２の取っ手３を容易に把持できる。
【００２０】
最後の空薬莢収納トレー１１を移動する際には、作業者は手の指部によって空薬莢収納トレー１１の取っ手３を把持して行う。この場合も、空薬莢収納トレー１１の開孔部４が存在するので、空薬莢収納トレー１１の取っ手３を容易に把持できる。
【００２１】
また、空薬莢収納トレーを段積する際に、1枚毎に90°回転しているが、2枚毎に90°回転してしても、あるいは他の枚数毎に90°回転してもよく、また、回転させなくてもよい。作業の都合に合わせて90°回転させればよい。たとえば、2段の7.62mm弾丸の空薬莢収納トレーに対して3段の5.56mm弾丸の空薬莢収納トレーを90°回転させる。
【００２２】
空薬莢収納トレーが平面視で正方形になっていること及び取っ手３が開孔部４によって空薬莢収納トレーから突出していないことは空薬莢収納トレーを後述の小ボックス８に収容する際の高収容作業効率に大きく貢献する。
【００２３】
図３は図１の空薬莢収納トレーの空薬莢収納状態を示す上面斜視図、図４は図３の空薬莢収納トレーに収納された空薬莢５−０を示す斜視図である。すなわち、図３においては、7.62mm弾丸の図４に示す縦長51mm、下端径12mmの空薬莢５−０が揺動作業によってライン状凹部１に満杯に収納されている。この場合、空薬莢５−０の7個分の長さを有する長いライン状凹部１には7個の空薬莢５−０が収納され、空薬莢５−０の5個分の長さを有する短いライン状凹部１には5個の空薬莢５−０が収納され、合計100個の空薬莢５−０が収納されている。このように、100個の空薬莢５−０が満杯に収納されても、ライン状凹部１には空隙が存在しないので、空薬莢５−０の収納作業がし易く、この結果、空薬莢５−０の収納作業効率が上昇する。
【００２４】
図５は図１の空薬莢収納トレーの第１の変更例を示す上面斜視図であって、5.56mm弾丸の図６に示す空薬莢５−１を収納した状態を示す。すなわち、図５においては、ライン状凹部１の実質的長さを短くするための凹部蓋部材７−１によりライン状凹部１の一部を塞いである。この場合、凹部蓋部材７−１を凹部蓋部材支持凹部６上に単純に載置することにより16個のライン状凹部１の一部を塞ぐことになる。これにより、5.56mm弾丸の図６に示す縦長45mm、下端径9mmの空薬莢５−１が揺動作業によってライン状凹部１に満杯に収納されている。この場合にも、空薬莢５−１の7個分の長さにされた長いライン状凹部１には7個の空薬莢５−１が収納され、空薬莢５−１の5個分の長さにされた短いライン状凹部１には5個の空薬莢５−１が収納され、合計100個の空薬莢５−１が収納されている。このように、100個の空薬莢５−１が満杯に収納されても、凹部蓋部材７−１によって実質的に短縮されたライン状凹部１には空隙が存在しないので、空薬莢５−１の収納作業がし易く、この結果、空薬莢５−１の収納作業効率がやはり上昇する。
【００２５】
図７は図１の空薬莢収納トレーの第２の変更例を示す上面斜視図であって、9mm弾丸の図８に示す空薬莢５−２を収納した状態を示す。すなわち、図７においては、ライン状凹部１の実質的長さを短くするための凹部蓋部材７−２によりライン状凹部１の一部を塞いである。この場合、凹部蓋部材７−２を凹部蓋部材支持凹部６上に単純に載置することにより16個のライン状凹部１の一部を塞ぐことになる。これにより、9mm弾丸の図８に示す縦長19mm、下端径10mmの空薬莢５−２が揺動作業によってライン状凹部１に満杯に収納されている。この場合、空薬莢５−２の14個分の長さにされた長いライン状凹部１には14個の空薬莢５−２が収納され、空薬莢５−２の10個分の長さにされた短いライン状凹部１には10個の空薬莢５−２が収納され、合計200個の空薬莢５−２が収納されている。このように、200個の空薬莢５−２が満杯に収納されても、凹部蓋部材７−２によって実質的に短縮されたライン状凹部１には空隙が存在しないので、空薬莢５−２の収納作業がし易く、この結果、空薬莢５−２の収納作業効率がやはり上昇する。
【００２６】
図５（図７）においては、上述のごとく、凹部蓋部材７−１（７−２）を把持して空薬莢収納トレー上の凹部蓋部材支持凹部６上に載置すれば、凹部蓋部材７−１（７−２）はライン状凹部１の一部を容易に塞ぐことになる。また、長さの異なる凹部蓋部材によって種々の縦長の空薬莢を収納できることは言うまでもない。尚、凹部蓋部材７−１（７−２）を透明とすれば、収納された空薬莢を観察できるようになる。また、凹部蓋部材７−１（７−２）の各ライン状凹部に対する蓋の長さが異なっても、凹部蓋部材７−１（７−２）の全体サイズは変化せず凹部蓋部材支持凹部６に合致している。
【００２７】
図９は図１、図５もしくは図７の空薬莢収納トレーを5個ずつ収納するための平面視で正方形である桝構造の小ボックスを示す写真である。小ボックス８は合成樹脂等よりなり、軽量である。小ボックス８の上部には縁部８１が設けられている。この縁部８１は小ボックス８の上にさらに別の小ボックスを載置する場合に有効となる。図９の小ボックス８には、図１もしくは図５の空薬莢収納トレーを5個ずつ段積状態で収容する。収容方法は図２の場合と同様である。この場合、上述のごとく、空薬莢収納トレーが平面視で正方形であること及び取っ手３が突出していないことから空薬莢収納トレーの収容作業効率を高くできる。これにより、500個の空薬莢を収納できる。あるいは、図９の小ボックス８には、図７の空薬莢収納トレーを5個ずつ段積状態で収容する。これにより、1000個の空薬莢を収納できる。
【００２８】
図１０は図９の小ボックス８を縦5個×平面4個ずつ収納するためのパネル構造の大ボックスを示す写真である。すなわち、図１０の大ボックス９には、図１もしくは図５の空薬莢収納トレーよりなる小ボックス８を20個ずつ段積状態で収容する。これにより、10000個の空薬莢を収納できる。あるいは、図１０の大ボックス９には、図７の空薬莢収納トレーよりなる小ボックスを20個ずつ段積状態で収容する。これにより、20,000個の空薬莢を収納できる。この結果、空薬莢は大ボックス単位で保管され、処分されることになる。
【００２９】
図１０の大ボックス９においては、透明フロントパネル９１を用いることにより視認性を確保し、また、組立てられた透明フロントパネル９１と不透明フロントパネル９２とをロック機構９３によってロックすることにより機密性を確保し、さらに、ベースパレット９４を色別に区別することにより弾丸の口径別に空薬莢を管理し、さらにまた、大ボックス９は空箱時に折り畳むことにより保管効率を上げる。尚、図１１は図１０のロック機構９３を示し、（Ａ）は閉状態の写真、（Ｂ）は開状態の写真である。
【００３０】
尚、本発明は、上述の実施の形態の自明の範囲のいかなる変更例に適用し得る。
【符号の説明】
【００３１】
１：ライン状凹部
２：凸部
３：取っ手
４：開孔部
５−０、５−１、５−２：空薬莢
６：凹部蓋部材支持凹部
７−１、７−２：凹部蓋部材
８：小ボックス
８１：縁部
９：大ボックス
９１：透明フロントパネル
９２：不透明フロントパネル
９３：ロック機構
９４：ベースパレット    
【図１】
2015042913.tif 000003
【図２】
2015042913.tif 000004
【図３】
2015042913.tif 000005
【図４】
2015042913.tif 000006
【図５】
2015042913.tif 000007
【図６】
2015042913.tif 000008
【図７】
2015042913.tif 000009
【図８】
2015042913.tif 000010
【図９】
2015042913.tif 000011
【図１０】
2015042913.tif 000012
【図１１】
2015042913.tif 000013